(57)【要約】【課題】組立てが容易であって、設計の自由度を向上し得るキャップレス印鑑を提供する。【解決手段】キャップレス印鑑は、先軸と後軸からなる軸筒と、先軸を後軸側に押圧することにより後軸後端から軸筒外に突出可能に後軸内に収容される印字体を備えた印鑑受けと、軸筒外に突出した位置から後軸内に収納されるように印鑑受けを付勢するスプリングと、印鑑受けが後軸内に収納された状態で後軸後端を閉止して印字体を覆う蓋体と、蓋体が設けられた弾性片の基部が後軸の外周面に取り付けられ、スプリングの付勢力に抗して印鑑受けを後軸後端から突出させるときにその印鑑受けに接触して蓋体が後軸の外側へ拡開するように押圧する案内リブが弾性片に形成される。後軸に複数の弾性片が対向して備えられ、印鑑受けの突出を許容し又は禁止するロック装置を後軸に構成することが好ましい。【選択図】  図１
2010208166.tif 000002
【特許請求の範囲】
【請求項１】
先軸と後軸からなる軸筒と、先軸を後軸側に押圧することにより後軸後端から軸筒外に突出可能に後軸内に収容される印字体を備える印鑑受けと、軸筒外に突出した位置から後軸内に収納されるように印鑑受けを付勢するスプリングと、印鑑受けが後軸内に収納された状態で後軸後端を閉止して印字体を覆う蓋体と、蓋体が設けられた弾性片の基部が後軸の外周面に取り付けられ、スプリングの付勢力に抗して印鑑受けを後軸後端から突出させるときに蓋体を後軸の外側へ拡開させるために印鑑受けに接触して蓋体を押圧する案内リブが弾性片に形成されたことを特徴とするキャップレス印鑑。
【請求項２】
前記後軸の外周面に取り付けられた複数の弾性片が対向して備えられ、印字体が後軸に収納された状態で複数の弾性片にそれぞれ設けられた蓋体が突き合わさって印字体を覆うように構成された請求項１記載のキャップレス印鑑。
【請求項３】
前記後軸の外周面に備えられた操作部材をスライドさせることにより印鑑受けの突出を許容し又は禁止するロック装置が軸筒に構成された請求項２記載のキャップレス印鑑。
【請求項４】
前記軸筒内に複合筆記具が備えられ、ロック装置により印字体の突出を禁止した操作部材を軸方向に摺動させることにより、複合筆記具に含まれるシャープペンシルの芯繰り出し操作を可能とする請求項３記載のキャップレス印鑑。
【発明の詳細な説明】
【技術分野】
【０００１】
本発明は、印字体の印字面を保護する蓋を有するキャップレス印鑑に関するものである。
【背景技術】
【０００２】
従来、この種のキャップレス印鑑としては特許文献１に記載される印字体を下端に設けた印鑑ユニットを内部に固定した外筒と、印鑑ユニットの外側で且つ外筒の内側に下端部を外筒の下端より突出させて外筒に対し上下方向にスライド自在に配設した内筒と、軸支部が内筒に対して回動可能に軸支された蓋とを備えた開閉式蓋付き印鑑が知られている。
【先行技術文献】
【特許文献】
【０００３】
【特許文献１】特開２００５−２２４２１号公報
【発明の概要】
【発明が解決しようとする課題】
【０００４】
しかし、上記従来の開閉式蓋付き印鑑では、蓋における軸支部を内筒に対して回動可能に軸支しているので、その軸支部を軸支する構造が複雑であった。
【０００５】
本発明の目的は、組立てが容易であって、設計の自由度を向上し得るキャップレス印鑑を提供することにある。
【課題を解決するための手段】
【０００６】
本発明のうち請求項１記載の発明は、先軸と後軸からなる軸筒と、先軸を後軸側に押圧することにより後軸後端から軸筒外に突出可能に後軸に収容される印字体を備える印鑑受けと、軸筒外に突出した位置から後軸内に収納されるように印鑑受けを付勢するスプリングと、印鑑受けが後軸内に収納された状態で後軸後端を閉止して印字体を覆う蓋体と、蓋体が設けられた弾性片の基部が後軸の外周面に取り付けられ、スプリングの付勢力に抗して印鑑受けを後軸後端から突出させるときにその印鑑受けに接触して蓋体を後軸の外側へ拡開するように押圧する案内リブが弾性片に形成されたことを特徴とする。
【０００７】
請求項２記載の発明は、請求項１記載の前記後軸の外周面に取り付けられた複数の弾性片が対向して備えられ、印字体が後軸内に収納された状態で複数の弾性片にそれぞれ設けられた蓋体が突き合わさって印字体を覆うように構成されたことを特徴とする。
【０００８】
請求項３記載の発明は、請求項２記載の前記後軸の外周面に備えられた操作部材をスライドさせることにより印鑑受けの突出を許容し又は禁止するロック装置が軸筒に構成されたことを特徴とする。
【０００９】
請求項４記載の発明は、請求項３記載の前記軸筒に複合筆記具が備えられ、ロック装置により印字体の突出を禁止した操作部材を軸方向に摺動させると複合筆記具に含まれるシャープペンシルの芯繰り出し操作を可能とすることを特徴とする。
【発明の効果】
【００１０】
本発明のキャップレス印鑑では、先軸を後軸側に押圧すると印鑑受けに案内リブが接触し、先軸を更に押圧すると弾性片の後端が後軸の外側に取り付けられた基部を支点に湾曲し開放され、蓋体が外側に拡開して印字体が突出することにより捺印が可能になる。本発明では、蓋体における軸支部を回動可能に軸支することを要件としない。更に、案内リブを形成することにより印字体を覆う蓋体の設計の自由度を向上させることができる。
【図面の簡単な説明】
【００１１】
【図１】本発明実施形態のキャップレス印鑑の構成を示す図７（ａ）のＡ−Ａ線断面図である。
【図２】印字体を突出させた状態を示す図１に対応する断面図である。
【図３】弾性片を示す斜視図である。
【図４】キャップレス印鑑の構成を示す図７（ｂ）のＢ−Ｂ線断面図である。
【図５】ロック装置を解除した状態を示す図４に対応する断面図である。
【図６】先軸を後軸側に押圧して印字体を突出させた状態を示す図５に対応する断面図である。
【図７】キャップレス印鑑の側面図（ａ）と正面図（ｂ）である。
【図８】先軸を後軸側に押圧して印字する状態を示す斜視図である。
【発明を実施するための形態】
【００１２】
次に本発明を実施するための形態を図面に基づいて説明する。
【００１３】
軸筒内に複合筆記具１０を備えた本発明のキャップレス印鑑５０の外観を図７に示し、図１にその構造を示す。図１に示す複合筆記具１０は、複数の筆記体３０を軸筒１２に収納させたものであって、先軸１４と後軸１６からなる軸筒１２内には、１本のシャープペンシル３０aを含む複数の筆記体３０a、３０、３０が収納されている。この複合筆記具１０は、先軸１４と後軸１６を相対回転することによりいずれかの筆記体３０を軸筒１２の先端から繰り出すことができる回転繰り出し機構を備える。
【００１４】
図１に示すように、キャップレス印鑑５０は、後軸１６に軸方向移動可能に収容された印鑑受け５２と、後軸１６に対して印鑑受け５２を軸筒後端から収納するように付勢するスプリング５４とを備える。印鑑受け５２は複合筆記具１０におけるカム筒２２の後部に設けられる。印鑑受け５２はカム筒２２の後端に装着される受け本体５２ａと受け本体５２ａの後端に重合する印字体５３とその印字体５３を受け本体５２ａに固定するカバー５２ｂと、カム筒２２の後部に受け本体５２ａを固定する接続筒５２ｃとを備える。
【００１５】
接続筒５２ｃは後軸１６に挿入された状態で後軸と回転不能であってかつ軸方向に移動可能に構成され、この接続筒５２ｃの存在により、この接続筒５２ｃに固定されるカム筒２２が後軸１６に対して回転不能であってかつ軸方向に移動可能に設けられる。カム筒２２の後端に設けられた印鑑受け５２は、カム筒２２とともに後軸１６内で軸方向に移動することにより、印字体５３を後軸１６の内部に収納した位置と、印字体５３が後軸１６後端から突出した位置に移動可能に構成されている。
【００１６】
後軸１６内に印鑑受け５２を収納するように付勢するスプリング５４は、カム筒２２に形成された段部２２ｅと後軸１６の内周面に形成された環状受部１６ａとの間に設けられる。図２に示すように印字体５３が後軸１６後端から突出した状態では、収納された状態に比べスプリング５４は更に圧縮され、その弾発力により後軸１６に対してカム筒２２を前方に付勢し、カム筒２２の後端に設けられた印鑑受け５２を軸筒内に収納するように構成されている。
【００１７】
印鑑受け５２がスプリング５４の付勢力により後軸１６内に収納される際、印字体５３を覆うように設けられている蓋体５６は、弾性片５８の後端に設けられる。この実施形態では、一対の弾性片５８が後軸１６に互いに対向して設けられ、図１〜図３に示すように、弾性片５８前端に設けられた基部には前後方向に係止部５９，６０が形成され、後軸１６外周面の対応位置にはその係止部５９，６０が前後に係止する係止孔１６ｂが形成されている。この係止孔１６ｂの前後の孔縁に係止部５９，６０をそれぞれ係止させることにより弾性片５８の基部が後軸１６の外周面にそれぞれ取付けられる。
【００１８】
弾性片５８の後端に設けられた蓋体５６が後軸１６外部から内部に進入可能な挿入孔１６ｃが後軸１６側面に周方向に形成されている。印鑑受け５２が後軸１６内に収納されると、一対の弾性片５８の弾性力により、それら双方の挿入孔１６ｃからそれぞれ蓋体５６が外部から軸筒１６内に進入し、印鑑受け５２の後部に設けられた印字体５３をそれらの蓋体５６が突き合わさって覆うように構成されている（図１）。
【００１９】
一方、スプリング５４の付勢力に抗して印鑑受け５２を後軸１６後端から突出させるとき、カバー５２ｂの後端に接触して蓋体５６とともに弾性片５８の後端を後軸１６の径方向外側に押圧する案内リブ６１が蓋体５６の中央と弾性片５８の中央部を連結するように一体的に形成されている。カバー５２ｂ後端に接触する案内リブ６１は、弾性片５８の後端が後軸１６の外側に基部５８ａを支点に湾曲し開放し易いように傾斜形状をなしている（図１）。更に案内リブ６１に対応する軸方向に延びる長孔１６ｄが挿入孔１６ｃに連結して形成されており、挿入孔１６ｃから蓋体５６が後軸１６内に進入して印字体５３を覆う際に、この長孔１６ｄには案内リブ６１が進入するように構成されている。
【００２０】
図４に示すように、このキャップレス印鑑５０には、後軸１６内に収納された印鑑受け５２の軸筒後端からの突出を禁止するロック装置７０が設けられている。このロック装置７０は印鑑受け５２が後軸１６に収納された状態でその印鑑受け５２に係止する係止突起７２ａを有する揺動片７２と、その揺動片７２を揺動操作可能な操作部材７４とを有する。揺動片７２はクリップ３６の取付部３６ａにて覆われるピン７２ｂを中心に後軸１６に揺動可能に取付けられ、係止突起７２ａに対応する挿通孔１６ｅが後軸１６に形成され、印鑑受け５２を構成する接続筒５２ｃに挿通孔１６ｅが連通する箇所に凹部５２ｄが形成されている。
【００２１】
揺動片７２の前部が後軸１６に接触し、揺動片７２の後部が後軸１６の外表面から離間した状態で、その前部に設けられた係止突起７２ａは挿通孔１６ｅを貫通して凹部５２ｄに進入し、この係止突起７２ａがその凹部５２ｄに係止する。これにより印鑑受け５２の軸方向移動を禁止するように構成される。一方、図５に示すように、その揺動片７２が揺動してその後部が後軸１６に接触した状態では、揺動片７２の前部が後軸１６の外表面から離間することにより、係止突起７２ａを凹部５２ｄから離脱させる。これにより、図６に示すような印鑑受け５２の後退が許容されるように構成されている。
【００２２】
操作部材７４は、クリップ３６の後端から後方に突出して軸方向移動可能に設けられ、操作突起７４ａが後軸１６の径方向外方に隆起して形成されている。操作部材７４の前部にはクリップ３６に覆われて揺動片７２を揺動させる操作片７４ｂが形成されている。この操作部材７４は、図４に示すように、前進位置で操作突起７４ａがクリップ３６の後端に当接し、操作片７４ｂが揺動片７２の前部に位置してその前部を後軸１６の外表面に接触させるように構成され、図５及び図６に示すように、後退位置で操作突起７４ａがクリップ３６の後端から離間し、操作片７４ｂが揺動片７２の後部に位置してその後部を後軸１６の外表面に接触させるように構成されている。
【００２３】
このように構成されたキャップレス印鑑５０では、図１に示すように、スプリング５４の付勢力により印鑑受け５２を後軸１６内に収納した状態では、弾性片５８の弾性力により後軸１６に形成された挿入孔１６ｃから、弾性片５８の後部に設けられた蓋体５６が後軸１６の内部に進入し、印鑑受け５２の後部に設けられた印字体５３をそれらの蓋体５６が突き合わさって覆い、印字体５３の印字面をその蓋体５６により保護することになる。
【００２４】
捺印するには、図８に示すように後軸１６の後端を捺印する書類等の上に当てた状態で先軸１４を把持して後軸１６側に押圧することにより行うことができる。スプリング５４を圧縮しながらカバー５２ｂの後端が案内リブ６１に接触し、先軸１４を更に押圧すると図２に示すように弾性片５８が弾性変形して湾曲する弾性片５８の後端とともに蓋体５６が後軸の外側に拡開するため、印字体５３は後軸１６の後端から突出可能となり、書類等の上に捺印することが可能になる。弾性片５８を後軸１６の両側にそれぞれ設けたので、この捺印時に弾性片５８が湾曲する程度を、後軸１６の片側にのみ弾性片５８を設けた場合に比較して小さくすることができる。この結果、弾性片５８の湾曲及び復元を繰り返すことによる経時変化による弾性劣化を片側にのみ設けた場合に比較して低減させることができ、キャップレス印鑑の耐久性が向上する。
【００２５】
印字体５３を軸筒内に収納する場合、先軸１４を把持して後軸１６側に押圧している力を解除すると、スプリング５４の復元力で印鑑受け５２が後軸１６内に戻され、湾曲していた弾性片５８が復元して弾性片５８の後部に設けられた蓋体５６が後軸１６の内部に再び進入し、その蓋体５６が印字体５３の印字面を再び保護する（図１）。従って、このキャップレス印鑑５０では、先軸１４とともに印鑑受け５２を後軸１６側に押圧する操作で蓋体５６が自動的に開くので、特に蓋体５６を開くための面倒な操作が不要となり、蓋体５６が紛失してしまうようなこともない。
【００２６】
また、本発明では、誤って先軸１４を後軸１６側に押圧し印鑑受け５２が後軸１６の後端から突出してしまうことを禁止するロック装置７０を備えているので、そのロック装置７０を操作して不用意に蓋体５６が開かないようにすることにより、携帯時に印字体５３に吸蔵させたインクによりその周囲を汚したり、印字体５３の印字面に傷を付けたりゴミが付着したりするようなことを回避することができる。
【００２７】
また、シャープペンシル３０ａを使用する場合には、後軸１６と先軸１４との相対回転によりシャープペンシル３０ａを選択し、その先端を先軸１４の先端から突出させ、その状態の先軸１４に対してカム筒２２を前進させて芯を繰り出すことが必要とされる。このカム筒２２は後軸１６と相対回転不能で軸方向移動可能に備えられているので、カム筒２２の前進は後軸１６とともに行うことが必要とされるが、後軸１６外周面に備えられた操作部材７４のロック操作によりカム筒２２は後軸と軸方向移動が禁止され、後軸１６又は操作部材７４に設けられた操作突起７４ａのノック操作によりシャープペンシル３０ａの芯繰り出し操作が可能となる。
【００２８】
操作突起７４ａはロック操作及びシャープペンシルのノック操作がし易い様に後軸１６の径方向外方に隆起しており、後軸１６の芯繰り出しノック操作の際、操作突起７４ａの隆起部を押すことでロック操作を忘れて誤って印字体５３が後軸１６の後端から突出することを回避することができ、シャープペンシル３０ａに於いて芯を確実に繰り出すことができる。
【００２９】
なお、上述した実施の形態では、複合式筆記具１０を備えたキャップレス印鑑について説明したが、筆記具は単一の筆記軸を備えるものであっても良く、もちろん筆記具を備えないキャップレス印鑑のみの単体であっても良い。
【符号の説明】
【００３０】
１０  筆記具
１２  軸筒
１４  先軸
１６  後軸
２２  カム筒
３０  筆記軸
３０ａ  シャープペンシル
３６  クリップ
５０  キャップレス印鑑
５２  印鑑受け
５３  印字体
５４  スプリング
５６  蓋体
５８  弾性片
５８ａ  基部
６１  案内リブ
７０  ロック装置
７４  操作部材
７４ａ  操作突起
【図１】
2010208166.tif 000003
【図２】
2010208166.tif 000004
【図３】
2010208166.tif 000005
【図４】
2010208166.tif 000006
【図５】
2010208166.tif 000007
【図６】
2010208166.tif 000008
【図７】
2010208166.tif 000009
【図８】
2010208166.tif 000010